(57)【要約】      （修正有）【課題】コンセント口に大型の電源アダプターの電源プラグが差し込まれたとしても、そのコンセント口に隣接するコンセント口を使用することができる電源タップを提供する。【解決手段】電源タップ１０は、複数連続して設けられ、コンセント口２０ａ〜２０ｅをそれぞれ１個ずつ有するコンセントブロック１１ａ〜１１ｅと、各コンセントブロック１１ａ〜１１ｅの角部に設けられ、コンセント口２０ａ〜２０ｅの向きを変えることなく各コンセントブロック１１ａ〜１１ｅを回転可能に連結して直線姿勢又は非直線姿勢に保持する接続部材１４ａ〜１４ｆと、を備える。接続部材は、各コンセントブロックの対角線上の配置され、各コンセントブロックが直線姿勢に保持された時に接続部材がジグザグ状に配置されるのが好ましい。【選択図】図５
0003190052.tif 000002
【実用新案登録請求の範囲】
【請求項１】
電源プラグが同一方向から差し込まれるコンセント口を複数備える電源タップであって、
複数連続して設けられ、前記コンセント口をそれぞれ１個ずつ有するコンセントブロックと、
該各コンセントブロックの角部に設けられ、前記コンセント口の向きを変えることなく該各コンセントブロックを回転可能に連結して直線姿勢又は非直線姿勢に保持する接続部材と、
を備えていることを特徴とする電源タップ。
【請求項２】
前記接続部材は、前記各コンセントブロックの対角線上に配置され、該各コンセントブロックが直線姿勢に保持された時に前記接続部材がジグザグ状に配置されるように構成されていることを特徴とする請求項１に記載の電源タップ。
【請求項３】
一方の端部の前記コンセントブロックに前記接続部材を介して回転可能に連結される、電源スイッチを有するスイッチブロックをさらに備えていることを特徴とする請求項１又は２に記載の電源タップ。
【請求項４】
他方の端部の前記コンセントブロックに前記接続部材を介して回転可能に連結される、ＵＳＢポートを有するＵＳＢブロックをさらに備えていることを特徴とする請求項１〜３の又はいずれか１の請求項に記載の電源タップ。
【考案の詳細な説明】
【技術分野】
【０００１】
本考案は、電気機器の電源プラグが差し込まれるコンセント口を複数備える電源タップに関する。
【背景技術】
【０００２】
パソコンや電源アダプター等の電気機器に電源を供給するために電源タップが広く使用されている。
【０００３】
従来のこの種の電源タップは、電源プラグが差し込まれるコンセント口を複数備えており、各コンセント口は所定間隔で直線状に配設されているのが一般的である（例えば、特許文献１乃至３参照）。
【先行技術文献】
【特許文献】
【０００４】
【特許文献１】特開２００８−１５８９３７号公報（特に図１等参照）
【特許文献２】特開２００２−９３５３５号公報（特に図１（ａ）等参照）
【特許文献３】特開２０００−３３１７５６号公報（特に図３等参照）
【考案の概要】
【考案が解決しようとする課題】
【０００５】
しかしながら、上記した従来の電源タップでは、複数のコンセント口が所定間隔で直線状に配設されているため、例えば１個のコンセント口に大型の電源アダプターの電源プラグが差し込まれたりすると、その電源アダプターが隣接する他のコンセント口を塞いでしまい、該他のコンセントを使用することができなくなるという問題が生じている。
【０００６】
また、上記した従来の電源タップは、直線状に形成されているため、特にコンセント口の設置数が多い場合には、電源タップの設置場所が制約され、使用勝手が悪いといった問題も生じている。
【０００７】
本考案は、上記した課題を解決すべくなされたものであり、例えコンセント口に大型の電源アダプターの電源プラグが差し込まれたとしても、そのコンセント口に隣接する他のコンセント口を使用することができ、また、例えコンセント口の設置数が多くても、設置場所が制約されることが少なく、使用勝手の向上を図ることのできる電源タップを提供することを目的とするものである。
【課題を解決するための手段】
【０００８】
上記した目的を達成するため、本考案は、電源プラグが同一方向から差し込まれるコンセント口を複数備える電源タップであって、複数連続して設けられ、前記コンセント口をそれぞれ１個ずつ有するコンセントブロックと、該各コンセントブロックの角部に設けられ、前記コンセント口の向きを変えることなく該各コンセントブロックを回転可能に連結して直線姿勢又は非直線姿勢に保持する接続部材と、を備えていることを特徴とする。
【０００９】
また、本考案に係る電源タップにおいて、前記接続部材は、前記各コンセントブロックの対角線上に配置され、該各コンセントブロックが直線姿勢に保持された時に前記接続部材がジグザグ状に配置されるように構成されているのが好ましい。
【００１０】
また、本考案に係る電源タップは、一方の端部の前記コンセントブロックに前記接続部材を介して回転可能に連結される、電源スイッチを有するスイッチブロックをさらに備えていてもよい。
【００１１】
また、本考案に係る電源タップは、他方の端部の前記コンセントブロックに前記接続部材を介して回転可能に連結される、ＵＳＢポートを有するＵＳＢブロックをさらに備えていてもよい。
【考案の効果】
【００１２】
本考案によれば、例えコンセント口に大型の電源アダプターの電源プラグが差し込まれたとしても、そのコンセント口に隣接する他のコンセント口を使用することができ、また、例えコンセント口の設置数が多くても、設置場所が制約されることが少なく、使用勝手の向上を図ることができる等、種々の優れた効果を得ることができる。
【図面の簡単な説明】
【００１３】
【図１】本考案の実施の形態に係る電源タップを示す斜視図である。
【図２】本考案の実施の形態に係る電源タップを示す平面図である。
【図３】本考案の実施の形態に係る電源タップを示す側面図である。
【図４】本考案の実施の形態に係る電源タップを図３の反対側から示す側面図である。
【図５】本考案の実施の形態に係る電源タップを非直線姿勢に保持した状態を示す斜視図である。
【考案を実施するための形態】
【００１４】
以下、図面を参照しつつ、本考案の実施の形態に係る電源タップについて説明する。ここで、図１は本考案の実施の形態に係る電源タップを示す斜視図、図２は本考案の実施の形態に係る電源タップを示す平面図、図３は本考案の実施の形態に係る電源タップを示す側面図、図４は本考案の実施の形態に係る電源タップを図３の反対側から示す側面図、図５は本考案の実施の形態に係る電源タップを非直線姿勢に保持した状態を示す斜視図である。なお、以下の説明において、上下の向きは、図２における紙面垂直方向手前側を上方とした向きを基準とする。
【００１５】
本考案の実施の形態に係る電源タップ１０は、５個連続して設けられる第１〜第５コンセントブロック１１ａ，１１ｂ，１１ｃ，１１ｄ，１１ｅと、一方の端部の第１コンセントブロック１１ａに隣接して設けられるスイッチブロック１２と、他方の端部の第５コンセントブロック１１ｅに隣接して設けられるＵＳＢブロック１３と、がそれぞれ第１〜第６接続部材１４ａ，１４ｂ，１４ｃ，１４ｄ，１４ｅ，１４ｆを介して連結されて構成されている。
【００１６】
各コンセントブロック１１ａ，１１ｂ，１１ｃ，１１ｄ，１１ｅのうち、第１コンセントブロック１１ａと中央の第３コンセントブロック１１ｃと第５コンセントブロック１１ｅとはそれぞれ同一の形状及び構造を有しており、また、第１のコンセントブロック１１ａと第３のコンセントブロック１１ｃの間の第２のコンセントブロック１１ｂと、第３のコンセントブロック１１ｃと第５のコンセントブロック１１ｅの間の第４のコンセントブロック１１ｄと、はそれぞれ同一の形状及び構造を有している。
【００１７】
第１コンセントブロック１１ａは、略直方体形状の第１ブロック本体部１５ａと、第１ブロック本体部１５ａの一方の第１角部に形成される第１突片１７ａ（図３参照）と、一方の第１角部の対角位置にある他方の第１角部に形成される第１挟持片１９ａ（図４参照）と、を備えている。
【００１８】
第１ブロック本体部１５ａには、電源プラグ（図示省略）が上方から差し込み可能なように第１コンセント口２０ａが１個設けられており、長手方向の各縁部には第１面取り部が形成されている。
【００１９】
第１突片１７ａは略円柱形状を有し、一方の第１角部の上下方向中央部分に形成されている。また、第１ブロック本体部１５ａには、一方の第１角部の第１突片１７ａの上方及び下方に、凹曲面を有する第１切欠部がそれぞれ形成されている。
【００２０】
第１挟持片１９ａは、凹曲面を有する空間（図示省略）を隔てて上下一対に対向して形成されており、第１挟持片１９ａの上面及び下面には第１面取り部と同一平面を成すように第１傾斜面が形成されている。
【００２１】
第２コンセントブロック１１ｂは、略直方体形状の第２ブロック本体部１５ｂと、第２ブロック本体部１５ｂの一方の第２角部に形成される第２突片１７ｂ（図４参照）と、一方の第２角部の対角位置にある他方の第２角部に形成される第２挟持片１９ｂ（図３参照）と、を備えている。
【００２２】
第２ブロック本体部１５ｂには、電源プラグ（図示省略）が上方から差し込み可能なように第２コンセント口２０ｂが１個設けられており、長手方向の各縁部には第１面取り部と同一平面を成すように第２面取り部が形成されている。
【００２３】
第２突片１７ｂは略円柱形状を有し、一方の第２角部の上下方向中央部分に形成されている。また、第２ブロック本体部１５ｂには、一方の第２角部の第２突片１７ｂの上方及び下方に、凹曲面を有する第２切欠部がそれぞれ形成されている。この第２切欠部には、第１コンセントブロック１１ａの第１挟持片１９ａが嵌合し、第１挟持片１９ａと第２突片１７ｂとにより第２接続部材１４ｂが構成される。
【００２４】
第２挟持片１９ｂは、凹曲面を有する空間（図示省略）を隔てて上下一対に対向して形成されており、第２挟持片１９ｂの上面及び下面には第２面取り部と同一平面を成すように第２傾斜面が形成されている。
【００２５】
第３コンセントブロック１１ｃは、第１コンセントブロック１１ａと同様に、第３ブロック本体部１５ｃと、第３突片１７ｃ（図３参照）と、第３挟持片１９ｃ（図４参照）と、を備えている。第３ブロック本体部１５ｃには、第３コンセント口２０ｃが設けられ、第２挟持片１９ｂと第３突片１７ｃとにより第３接続部材１４ｃが構成される。
【００２６】
第４コンセントブロック１１ｄは、第２コンセントブロック１１ｂと同様に、第４ブロック本体部１５ｄと、第４突片１７ｄ（図４参照）と、第４挟持片１９ｄ（図３参照）と、を備えている。第４ブロック本体部１５ｄには、第４コンセント口２０ｄが設けられ、第３挟持片１９ｃと第４突片１７ｄとにより第４接続部材１４ｄが構成される。
【００２７】
第５コンセントブロック１１ｅは、第１コンセントブロック１１ａと同様に、第５ブロック本体部１５ｅと、第５突片１７ｅ（図３参照）と、第５挟持片１９ｅ（図４参照）と、を備えている。第５ブロック本体部１５ｅには、第５コンセント口２０ｅが設けられ、第４挟持片１９ｄと第５突片１７ｅとにより第５接続部材１４ｅが構成される。
【００２８】
スイッチブロック１２は、略直方体形状のスイッチブロック本体部２４と、スイッチブロック本体部２４の角部に形成される挟持片２６（図３参照）と、を備えている。スイッチブロック本体部２４には、電源スイッチ２７が設けられており、長手方向の各縁部にはスイッチ面取り部が形成されている。また、スイッチブロック本体部２４には、商用電源に接続される電源コード２９が接続されている。
【００２９】
挟持片２６は、凹曲面を有する空間（図示省略）を隔てて上下一対に対向して形成されており、挟持片２６の上面及び下面にはスイッチ面取り部と同一平面を成すようにスイッチ傾斜面が形成されている。挟持片２６は、第１コンセントブロック１１ａの第１突片１７ａの第１切欠部に嵌合し、挟持片２６と第１突片１７ａとにより第１接続部材１４ａが構成される。
【００３０】
ＵＳＢブロック１３は、略直方体形状のＵＳＢブロック本体部３１と、ＵＳＢブロック本体部３１の角部に形成される突片３３（図４参照）と、を備えている。ＵＳＢブロック本体部３１には、ＵＳＢポート３４が設けられており、長手方向の各縁部にはＵＳＢ面取り部が形成されている。
【００３１】
突片３３は略円柱形状を有し、角部の上下方向中央部分に形成されている。また、ＵＳＢブロック本体部３１には、角部の突片３３の上方及び下方に、凹曲面を有するＵＳＢ切欠部がそれぞれ形成されている。このＵＳＢ切欠部には、第５コンセントブロック１１ｅの第５挟持片１９ｅが嵌合し、第５挟持片１９ｅと突片３３とにより第６接続部材１４ｆが構成される。
【００３２】
このように各コンセントブロック１１ａ，１１ｂ，１１ｃ，１１ｄ，１１ｅとスイッチブロック１２及びＵＳＢブロック１３とは、第１〜第６接続部材１４ａ，１４ｂ，１４ｃ，１４ｄ，１４ｅ，１４ｆを介して、各コンセント口２０ａ，２０ｂ，２０ｃ，２０ｄ，２０ｅの向きを変えることなく回転可能に連結され、直線姿勢（図１〜５参照）又は任意の非直線姿勢（例えば図５参照）に保持される。また、直線姿勢に保持された状態では、第１〜第６接続部材１４ａ，１４ｂ，１４ｃ，１４ｄ，１４ｅ，１４ｆはジグザグ状に配置される。
【００３３】
すなわち、本考案の実施の形態に係る電源タップ１０によれば、電源タップ１０の設置場所やコンセント口２０ａ，２０ｂ，２０ｃ，２０ｄ，２０ｅに差し込まれる電源プラグのタイプに応じて、例えば図５に示すように任意の非直線姿勢をとることができる。したがって、例えいずれかのコンセント口に大型の電源アダプターの電源プラグが差し込まれたとしても、そのコンセント口に隣接する他のコンセント口を使用することが可能となる。また、上記した本考案の実施の形態に係る電源タップ１０のように、例えコンセント口の設置数が多くても、設置場所が制約されることが少なく、使用勝手の向上を図ることが可能となる。
【００３４】
さらに、各コンセントブロック１１ａ，１１ｂ，１１ｃ，１１ｄ，１１ｅとスイッチブロック１２及びＵＳＢブロック１３との間の配線は、それぞれの内部で直列に接続されており、第１〜第６接続部材１４ａ，１４ｂ，１４ｃ，１４ｄ，１４ｅ，１４ｆの内部では上下方向に配線されている。これにより、電源タップ１０の使用状況に応じて、各コンセントブロック１１ａ，１１ｂ，１１ｃ，１１ｄ，１１ｅ等を回転させたとしても、前記配線に無理な力が作用したりすることがなく、電源タップ１０の信頼性及び耐久性を高めることができる。
【００３５】
なお、上記した本考案の実施の形態に係る電源タップ１０において、接続部材１４ａ，１４ｂ，１４ｃ，１４ｄ，１４ｅ，１４ｆは、各コンセントブロック１１ａ，１１ｂ，１１ｃ，１１ｄ，１１ｅの対角線上に配置され、各コンセントブロック１１ａ，１１ｂ，１１ｃ，１１ｄ，１１ｅが直線姿勢に保持された時に接続部材１４ａ，１４ｂ，１４ｃ，１４ｄ，１４ｅ，１４ｆがジグザグ状に配置されるように構成されているが、これは本考案をこの形態に限定する趣旨ではない。すなわち、接続部材１４ａ，１４ｂ，１４ｃ，１４ｄ，１４ｅ，１４ｆは各コンセントブロック１１ａ，１１ｂ，１１ｃ，１１ｄ，１１ｅの角部に設けられ、コンセント口２０ａ，２０ｂ，２０ｃ，２０ｄ，２０ｅの向きを変えることなくコンセントブロック１１ａ，１１ｂ，１１ｃ，１１ｄ，１１ｅを回転可能に連結して直線姿勢又は非直線姿勢に保持するように構成されていれば、必ずしもジグザグ状に配置されている必要はない。
【００３６】
また、上記した本考案の実施の形態に係る電源タップ１０では、５個のコンセント口２０ａ，２０ｂ，２０ｃ，２０ｄ，２０ｅと電源スイッチ２７及びＵＳＢポート３４を設けた場合について説明したが、これは単なる例示に過ぎず、コンセント口の数は４個以下或いは６個以上であってもよく、また、電源スイッチ２７やＵＳＢポート３４は設けなくてもよい。
【００３７】
また、上記した本考案の実施の形態の説明は、本考案に係る電源タップ１０における好適な実施の形態を説明しているため、形状等において技術的に好ましい種々の限定を付している場合もあるが、本考案の技術範囲は、特に本考案を限定する記載がない限り、これらの態様に限定されるものではない。
【００３８】
さらに、上記した本考案の各実施形態における構成要素は適宜、既存の構成要素等との置き換えが可能であり、且つ、他の既存の構成要素との組合せを含む様々なバリエーションが可能であり、上記した本考案の各実施形態の記載をもって、実用新案登録請求の範囲に記載された考案の内容を限定するものではない。
【符号の説明】
【００３９】
１０    電源タップ
１１ａ，１１ｂ，１１ｃ，１１ｄ，１１ｅ    第１〜第５コンセントブロック
１２    スイッチブロック
１３    ＵＳＢブロック
１４ａ，１４ｂ，１４ｃ，１４ｄ，１４ｅ，１４ｆ    第１〜第６接続部材
２０ａ，２０ｂ，２０ｃ，２０ｄ，２０ｅ    第１〜第５コンセント口
２７    電源スイッチ
３４    ＵＳＢポート
【図１】
0003190052.tif 000003
【図２】
0003190052.tif 000004
【図３】
0003190052.tif 000005
【図４】
0003190052.tif 000006
【図５】
0003190052.tif 000007